(57)【特許請求の範囲】
【請求項１】
複数のプログラムを実行する携帯端末であって、
第１プログラムの実行により表示される画像が表示される第１タッチ領域と、
第２プログラムの実行により表示される画像が表示される第２タッチ領域と、
前記第１タッチ領域及び前記第２タッチ領域への接触を検出する検出部と、
前記第１プログラムの実行により表示される画像が前記第１タッチ領域に表示されている状態において、前記第１タッチ領域への接触が検出された後に前記第２タッチ領域への接触が検出され、且つ、両タッチ領域が同時に接触されていることが検出されると、前記画像に係るデータを利用した処理を行う処理部とを備え、
前記第１プログラムは、電子メールプログラムであり、
前記第１タッチ領域には、電子メールに添付された添付画像が表示されており、
前記処理部は、前記添付画像を用いた処理を行う
ことを特徴とする携帯端末。
【請求項２】
前記第１プログラムの実行により表示される画像が前記第１タッチ領域に表示されている状態において、前記第１タッチ領域への接触が検出された後に前記第２タッチ領域への接触が検出され、且つ、両タッチ領域が同時に接触されていることが検出されると、前記画像に係るデータを指定する情報を、前記第２プログラムへ通知する通知部を備え、
前記通知部は、前記添付画像への接触が検知されると、前記添付画像の格納位置である前記情報を、前記第２プログラムへ通知し、
前記処理部は、前記通知部により通知された情報を利用して、前記処理を行う
ことを特徴とする請求項１に記載の携帯端末。
【請求項３】
前記検出部は、更に、前記第１タッチ領域への接触位置を検出し、
前記通知部は、検出された前記接触位置に表示されている前記データを指定する前記情報を、前記第２プログラムへ通知する
ことを特徴とする請求項２に記載の携帯端末。
【請求項４】
前記通知部は、前記第１タッチ領域への接触の解除が検出されたときに、前記第２プログラムへ前記情報を通知する
ことを特徴とする請求項３に記載の携帯端末。
【請求項５】
前記携帯端末は、更に、
前記第１タッチ領域への接触の解除が検出される前に、前記第２タッチ領域への接触の解除が検出されると、前記通知部の処理を禁止する禁止部を備える
ことを特徴とする請求項４に記載の携帯端末。
【請求項６】
前記通知部は、前記第１プログラムの実行により表示される画像が前記第１タッチ領域に表示され、且つ、前記第２プログラムの実行により表示される画像が前記第２タッチ領域に表示されている状態において、前記第１タッチ領域への接触が検出された後に前記第２タッチ領域への接触が検出され、且つ、両タッチ領域が同時に接触されていることが検出されると、前記情報を、前記第２プログラムへ通知する
ことを特徴とする請求項２に記載の携帯端末。
【請求項７】
前記第２タッチ領域には、前記第２プログラムを示すアイコン画像が表示されており、
前記検出部は、前記第２タッチ領域への接触位置を検出可能であり、
前記通知部は、前記第２プログラムを示す前記アイコン画像への接触が検出されると、前記情報を前記第２プログラムに通知する
ことを特徴とする請求項２に記載の携帯端末。
【請求項８】
前記第２プログラムは、待ち受け画面の壁紙を設定する待ち受けプログラムであり、
前記処理部は、前記格納位置に格納されている前記添付画像を、待ち受け画面の壁紙に設定する
ことを特徴とする請求項２に記載の携帯端末。
【請求項９】
前記携帯端末は、前記第１プログラム及び第２プログラムが利用可能な第３プログラムを含み、
前記通知部は、
第１プログラムから第３プログラムへ前記情報を通知し、前記第３プログラムから前記第２プログラムへ前記情報を通知する
ことを特徴とする請求項２に記載の携帯端末。
【請求項１０】
前記検出部は、
前記第１タッチ領域への接触を検出する第１検出部と、
前記第２タッチ領域への接触を検出する第２検出部とを備える
ことを特徴とする請求項２に記載の携帯端末。
【請求項１１】
第１プログラムの実行により表示される画像が表示される第１タッチ領域、第２プログラムの実行により表示される画像が表示される第２タッチ領域、前記第１タッチ領域及び前記第２タッチ領域の接触を検出する検出部並びに処理部を備え、複数のプログラムを実行する携帯端末で用いられる処理方法であって、
前記第１プログラムの実行により表示される画像が前記第１タッチ領域に表示されている状態において、前記第１タッチ領域への接触が検出された後に前記第２タッチ領域への接触が検出され、且つ、両タッチ領域が同時に接触されていることが検出されると、前記処理部が、前記画像に係るデータを利用した処理を行うステップを含み、
前記第１プログラムは、電子メールプログラムであり、
前記第１タッチ領域には、電子メールに添付された添付画像が表示されており、
前記ステップは、前記処理部が、前添付画像を用いた処理を行う
ことを特徴とする処理方法。
【発明の詳細な説明】
【技術分野】
【０００１】
本発明は、画像を利用して処理を行う携帯端末に関する。
【背景技術】
【０００２】
携帯電話機等の携帯端末では、ユーザが選択した任意の画像を待ち受け画面の背景画像（以下「壁紙」と記載する。）に設定することができる。例えば、特許文献１には、ユーザが携帯電話機のカメラを用いて撮影した画像を待ち受け画面の壁紙に設定する携帯電話機が記載されている。
また、携帯電話機が受信する電子メールには写真などの添付画像が含まれていることがある。携帯電話機は、受信した添付画像を待ち受け画面の壁紙に設定することもできる。
【０００３】
撮影した画像や受信した添付画像を待ち受け画面の壁紙に設定するには、ユーザは、先ず、画像をデータフォルダへ保存し、その後、データフォルダを開き、対象の画像を選択してから「壁紙に設定」というメニューを選択する必要がある。
【先行技術文献】
【特許文献】
【０００４】
【特許文献１】特開２００５−１４８３２６号公報
【発明の概要】
【発明が解決しようとする課題】
【０００５】
このように、撮影した画像や電子メールの添付画像等を待ち受け画面の壁紙に設定するには、ユーザによる煩雑な操作が必要である。
そこで、本発明は、上記の問題点に鑑み、２つのタッチパネルを有する携帯端末において、一方のタッチパネル上の画像に係るデータを、他方のタッチパネル上で処理可能とすることができる携帯端末及び処理方法を提供することを目的とする。
【課題を解決するための手段】
【０００６】
上記の目的を達成するために、本発明の携帯端末は、複数のプログラムを実行する携帯端末であって、第１プログラムの実行により表示される画像が表示される第１タッチパネルと、第２プログラムの実行により表示される画像が表示される第２タッチパネルと、前記第１タッチパネル及び前記第２タッチパネルへの接触を検出する検出部と、前記第１プログラムの実行により表示される画像が前記第１タッチパネルに表示されている状態において、前記第１タッチパネルへの接触が検出された後に前記第２タッチパネルへの接触が検出され、且つ、両タッチパネルが同時に接触されていることが検出されると、前記画像に係るデータを指定する情報を、前記第２プログラムへ通知する通知部と、前記通知部から通知を受けると、前記第２プログラムにより前記データを利用した処理を行う処理部とを備えることを特徴とする。
【発明の効果】
【０００７】
上記の構成により、２つのタッチパネルを有する携帯端末において、一方のタッチパネル上の画像に係るデータを、他方のタッチパネル上で処理可能とすることができる。
【図面の簡単な説明】
【０００８】
【図１】携帯電話機１の外観図
【図２】各タッチパネルに表示される画像の一例を示す図
【図３】携帯電話機１のブロック図
【図４】携帯電話機１のソフトウェア階層図
【図５】壁紙設定処理のユーザ操作について説明するための図
【図６】壁紙設定処理のユーザ操作について説明するための図
【図７】壁紙設定処理の動作を示すフローチャート
【図８】プログラム間のシーケンス図
【図９】アドレス帳管理プログラムを用いた変形例について説明するための図
【図１０】アイコン画像を用いた変形例について説明するための図
【発明を実施するための形態】
【０００９】
以下では、本発明に係る携帯端末の一態様である携帯電話機１について、図面を参照しながら説明する。
＜１．概要＞
図１は、携帯電話機１の外観を示す図である。携帯電話機１は、上部筐体１１及び下部筐体１２から構成される。上部筐体１１には第１タッチパネル１０１が配され、下部筐体１２には、第２タッチパネル１０２が配されている。ここで、各筐体において、タッチパネルが配されている面を「主表面」と記載する。上部筐体１１及び下部筐体１２は、結合部１３にて連結されている。結合部１３は、その基端側が下部筐体１２に回転自在に軸支されており、先端側が上部筐体１１をスライド移動並びに回転自在に支持している。
【００１０】
図１（ａ）に示す閉状態では、下部筐体１２の主表面の上に、上部筐体１１が重なるように位置する。上部筐体１１により第２タッチパネル１０２が隠れているため、第１タッチパネル１０１のみが視認可能である。
携帯電話機１は、このような閉状態から、図１（ｂ）に示すように、上部筐体１１をスライドさせて、図１（ｃ）に示す開状態に変形させることができる。開状態では、上部筐体１１の主表面と下部筐体１２の主表面とが略同一平面状に位置し、第１タッチパネル１０１及び第２タッチパネル１０２の両方が視認可能となる。
【００１１】
携帯電話機１は、開状態のとき、図２（ａ）に示すように、各タッチパネルにそれぞれ別々の画像を表示することもできるし、図２（ｂ）に示すように、２つのタッチパネルに一つの画面を大きく表示することもできる。
携帯電話機１は、一方のタッチパネルに受信メール画面が表示され、他方のタッチパネルに待ち受け画面が表示されている状態において、両タッチパネルを交互にタッチする簡便な操作により、電子メールに添付されている添付画像を、待ち受け画面の壁紙に設定する壁紙設定処理を行う。
【００１２】
＜２．携帯電話機１の構成＞
図３は、携帯電話機１の内部構成を機能的に示すブロック図である。
同図に示すように、携帯電話機１は、第１タッチパネル１０１、第２タッチパネル１０２、第１コントローラ１０３、第２コントローラ１０４、メモリ１０５、システム制御部１０６、通信制御部１０７、アンテナ１０８、壁紙設定部１０９、レシーバ１１０及びマイク１１１から構成される。
【００１３】
第１タッチパネル１０１は、入力デバイスであるタッチバッド１２１と、表示デバイスであるＬＣＤ（Ｌｉｑｕｉｄ  Ｃｒｙｓｔａｌ  Ｄｉｓｐｌａｙ）１２２と、光源であるＬＥＤ（Ｌｉｇｈｔ  Ｅｍｉｔｔｉｎｇ  Ｄｉｏｄｅ）１２３とを含む。
第２タッチパネル１０２も第１タッチパネル１０１と同様に、タッチパッド１３１とＬＣＤ１３２とＬＥＤ１３３とを含む。
【００１４】
タッチパッド１２１及び１３１は、静電容量方式のタッチセンサを含み、それぞれ、ＬＣＤ１２２及び１３２に重畳して設けられている。タッチパッド１２１及び１３１は、透明部材で構成され、ＬＣＤ１２２及び１３２に表示された画像が見えるように構成されている。ＬＥＤ１２３及び１３３は、一例として、ＬＣＤ１２２及び１３２の背後に位置し、ＬＣＤ１２２及び１３２を背後から照らすバックライトである。なお、ＬＣＤ１２２及びＬＣＤ１３２は、一例として、３．５インチであり、最大で８００×４８０ピクセルの画像を表示することが可能であるとする。
【００１５】
第１コントローラ１０３は、第１タッチパネル１０１に対応し、第２コントローラ１０４は、第２タッチタッチパネル１０２に対応する。第１コントローラ１０３は、タッチパッド１２１に対するユーザの指等の接触を検出し、検出している間、単位時間（例えば、２５ｍｓ）毎に、その接触位置の座標値（ｘ，ｙ）をシステム制御部１０６に出力する。同様に、第２コントローラ１０４は、タッチパッド１３１に対するユーザの指等の接触を検出し、検出している間、単位時間毎に、その接触位置の座標値（ｘ，ｙ）を、システム制御部１０６に出力する。
【００１６】
メモリ１０５は、ＲＯＭ及びＲＡＭを含む。ＲＯＭには、ＯＳ、電子メールプログラム１５１、待ち受けプログラム１５２、システム制御プログラム、通信制御プログラム等を含む複数のコンピュータプログラムが記憶されている。ＲＡＭには、添付ファイルデータ１５３等、各種のデータが記憶されている。ここで、添付ファイルデータ１５３は、複数の添付ファイルを含む。各添付ファイルは、電子メールに添付されて受信したデータであり、静止画像、動画像、テキストデータ等である。
【００１７】
システム制御部１０６は、携帯電話機１の各ブロックと接続されている。システム制御部１０６は、プロセッサが、メモリ１０５の一部領域をワークメモリとして用いて、メモリ１０５に記憶されているコンピュータプログラムを実行することにより、各種の機能を実現する。
具体的に、システム制御部１０６は、受信した電子メールに添付ファイルが含まれている場合には、添付ファイルを電子メールに紐付けた状態で、メモリ１０５に格納する。さらに、システム制御部１０６は、添付ファイルデータ１５３に含まれる各添付ファイルのファイル名及び格納場所を示すファイルパス名を管理する。
【００１８】
また、システム制御部１０６は、通知部１６１を含む。通知部１６１は、図５に示すように、第１タッチパネル１０１に受信メール画面２０１が表示され、且つ、第２タッチパネル１０２に待ち受け画面２０２が表示されている状態において、以下の処理を行う。なお、受信メール画面２０１は、図５（ａ）に示すように、添付画像２０３を含む。添付画像２０３は、電子メールに添付されて受信した静止画像である。また、一例として待ち受け画面２０２には壁紙が設定されておらず、無地の背景の上にアイコン画像２０４を含む複数のアイコン画像が表示されている。
【００１９】
通知部１６１は、第１タッチパネル１０１及び第２タッチパネル１０２がユーザの指等により接触されている間、第１コントローラ１０３及び第２コントローラ１０４から、接触位置を受け取る。通知部１６１は、受け取った接触位置を基に、添付画像２０３を待ち受け画面２０２の壁紙に設定することを示すユーザ操作を検出したか判断する。通知部１６１は、添付画像２０３を待ち受け画面２０２の壁紙に設定することを示すユーザ操作を検出した場合、添付画像２０３のファイル名と添付画像２０３の格納位置を示すファイルパス名と壁紙設定要求とを、壁紙設定部１０９へ通知する。
【００２０】
ここで、「添付画像２０３を待ち受け画面２０２の壁紙に設定することを示すユーザ操作」とは、第１タッチパネル１０１が接触された後に第２タッチパネル１０２が接触され、且つ、両タッチパネルが同時に接触されている状態を示す。
なお、システム制御部１０６は、上記の機能以外にも様々な機能を有しており、携帯電話機１の全体を制御する。
【００２１】
通信制御部１０７は、プロセッサが、メモリ１０５の一部領域をワークメモリとして用いて、メモリ１０５に記憶されているコンピュータプログラムを実行することにより、以下の機能を実現する。通信制御部１０７は、アンテナ１０８を介して、電話回線やインターネット等の通信網に接続する。そして、通信制御部１０４は、基地局を介して、他の電話機、パーソナルコンピュータ、ウェブサーバ等との間で、音声データ、文字データ、画像データ、位置データ等を送受信する。
【００２２】
壁紙設定部１０９は、処理部１９１及び画像情報格納部１９２を含む。壁紙設定部１０９は、プロセッサが、メモリ１０５の一部領域をワークメモリとして用いて、メモリ１０５に記憶されているコンピュータプログラムを実行することにより、以下の機能を実現する。
処理部１９１は、通知部１６１からファイル名とファイルパス名と壁紙設定要求とを受け取ると、ファイル名とファイルパス名とを画像情報格納部１９２に格納する。そして、処理部１９１は、画像情報格納部１９２に格納されたファイル名とファイルパス名とが示す画像をメモリ１０５から取得して、待ち受け画面２０２の背景に表示する。
【００２３】
＜３．ソフトウェア階層構造＞
図４は、携帯電話機１のソフトウェア階層構造の概略図である。同図に示すようにオペレーティングシステム（ＯＳ）２０の下層には、各種ハードウェアのそれぞれに対応するデバイスドライバ群１０が備えられている。デバイスドライバ群１０は、第１コントローラ１０３及び第２コントローラ１０４を含む。
【００２４】
ＯＳ２０の上層には、ＯＳ２０の機能を利用するためのインターフェースであるＡＰＩ群３０を介して、電子メールプログラム１５１及び待ち受けプログラム１５２が備えられている。
ここで、第１コントローラ１０３及び第２コントローラ１０４は、ＯＳ２０を介して、検出した接触位置をアクティブなプログラム（電子メールプログラム１５１又は待ち受けプログラム１５２）へ渡す。また、電子メールプログラム１５１は、ＡＰＩ群３０及びＯＳ２０を介して、添付画像２０３のファイル名と添付画像２０３の格納位置を示すファイルパス名と壁紙設定要求と待ち受けプログラム１５２へ渡す。
【００２５】
なお、図４では、壁紙設定処理に必要なソフトウェアのみが記載されているが、携帯電話機１は、電話機及び情報端末としての標準的な機能を達成するために、様々な基本プログラムやアプリケーションプログラムを備えている。
＜４．ユーザ操作＞
図５は、壁紙設定処理に伴うユーザ操作を説明するための図である。
【００２６】
（ａ）先ず、ユーザは、受信メール画面２０１に含まれる添付画像２０３に指を接触させて、添付画像２０３を選択する。
（ｂ）次に、ユーザは、添付画像２０３に指を接触させたまま、待ち受け画面２０２の背景に指を接触させる。
（ｃ）次に、ユーザは、添付画像２０３から指を離す。
【００２７】
（ｄ）最後に、ユーザは、待ち受け画面２０２の背景から指を離す。
第１タッチパネル１０１及び第２タッチパネル１０２が、（ａ）から（ｄ）までの一連の操作を受け付けると、携帯電話機１は、添付画像２０３を待ち受け画面２０２の壁紙に設定する。
なお、（ａ）及び（ｂ）の操作の後、図６（ｃ）のように、ユーザが添付画像２０３から指を離す前に、待ち受け画面２０２の背景から指を離した場合には、（ｄ）に示すように、携帯電話機１は、添付画像２０３を待ち受け画面２０２の壁紙に設定しない。
【００２８】
＜５．壁紙設定処理の動作＞
図７は、携帯電話機１による壁紙設定処理の動作を示すフローチャートである。
ここに示す動作は、携帯電話機１のプロセッサが、ＯＳ２０、ＡＰＩ群３０及び４０、第１コントローラ１０３、第２コントローラ１０４、電子メールプログラム１５１及び待ち受けプログラム１５１を実行することにより実現される。
【００２９】
ユーザが、受信メール画面２０１上で添付画像２０３へ指を接触させると、第１コントローラ１０３は、接触位置をシステム制御部１０６へ出力する。
システム制御部１０６は、第１コントローラ１０３から受け取る接触位置と受信メール画面２０１の配置情報とを用いて、添付画像２０３が接触されていることを検出する（ステップＳ１）。
【００３０】
次に、ユーザが、添付画像２０３へ指を接触させたまま、待ち受け画面２０２の背景に指を接触させると、第１コントローラ１０３及び第２コントローラ１０４は、それぞれの接触位置をシステム制御部１０６へ出力する。
システム制御部１０６は、第１コントローラ１０３から受け取る接触位置を用いて、接触位置が変化せず、添付画像２０３が接触されていることを検出し、且つ、第２コントローラ１０４から受け取る接触位置と待ち受け画面２０２の配置情報とを用いて、待ち受け画面２０２の背景が接触されていることを検出する（ステップＳ２）。
【００３１】
その後、ユーザが待ち受け画面２０２の背景から指を放し、システム制御部１０６が接触解除を検出すると（ステップＳ３でＹＥＳ）、壁紙設定処理は終了する。
ユーザが待ち受け画面２０２の背景から指を離す前に、添付画像２０３から指を離すと（ステップＳ３でＮＯ、且つ、ステップＳ４でＹＥＳ）、システム制御部１０６は、添付画像２０３の情報（添付画像２０３のファイル名及び添付画像２０３の格納位置を示すファイルパス名）と壁紙設定要求とを、壁紙設定部１０９へ通知する（ステップＳ５）。
【００３２】
なお、ユーザが待ち受け画面２０２の背景から指を離すと、システム制御部１０６は、第２コントローラ１０４から接触位置を受け取らなくなるので、接触解除を検出することができる。同様に、ユーザが添付画像２０３から指を離すと、システム制御部１０６は、第１コントローラ１０３から接触位置を受け取らなくなるので、接触解除を検出することができる。
【００３３】
ここで、ユーザが待ち受け画面２０２の背景から指を放さず、且つ、添付画像２０３からも指を放さない場合（ステップＳ３でＮＯ、且つ、ステップＳ４でＮＯ）、システム制御部１０６は、ユーザが添付画像２０３から指を離すまで待機する。
壁紙設定部１０９の処理部１９１は、通知部１６１から添付画像２０３の情報と壁紙設定要求とを通知されると、添付画像２０３の情報を画像情報格納部１９２へ格納する（ステップＳ６）。
【００３４】
その後、ユーザが待ち受け画面２０２の背景から指を放し、システム制御部１０６が接触解除を検出すると（ステップＳ７でＹＥＳ）、処理部１９１は、画像情報格納部１９２に格納されている情報を用いてメモリ１０５から添付画像２０３を読み出し、待ち受け画面２０２の壁紙として表示する（ステップＳ８）。
ここで、ユーザが待ち受け画面２０２の背景から指を放さない場合（ステップＳ７でＮＯ）、処理部１９１は、ユーザが待ち受け画面２０２の背景から指を離すまで待機する。
【００３５】
＜６．シーケンス図＞
図８は、壁紙設定処理におけるプログラム間の情報の受け渡しを示したシーケンス図である。
電子メールプログラム１５１は、インターフェースであるＡＰＩ群を介して、壁紙設定要求、ファイルパス名及びファイル名をＯＳ２０へ通知する。このとき、電子メールプログラム１５１は、待ち受けプログラム１５２を指定する情報も同時にＯＳ２０へ通知してもよい。
【００３６】
ＯＳ２０は、待ち受けプログラム１５２へ壁紙設定のイベントを発生させる。待ち受けプログラム１５２が起動すると、ＯＳ２０は、ＡＰＩ群を介して、待ち受けプログラム１５２へ、電子メールプログラム１５１から通知された壁紙設定要求、ファイルパス名及びファイル名を通知する。
＜７．その他の変形例＞
以上、本発明に係る携帯端末の実施形態を説明したが、例示した携帯電話機１を以下のように変形することも可能であり、本発明が上述の実施形態で示したとおりの携帯電話機１に限られないことは勿論である。
【００３７】
（１）上記の携帯電話機１は、電子メールプログラム１５１から待ち受けプログラム１５２へ添付画像の情報を通知することで、待ち受けプログラム１５２が添付画像を用いて壁紙設定処理を行う構成を有していた。しかし、携帯電話機１は、添付画像の情報を待ち受けプログラム１５２以外の他のプログラムへ通知する構成でもよい。
ここでは、図９を用いて、電子メールプログラム１５１からアドレス帳管理プログラムへ添付画像の情報を通知することで、アドレス帳管理プログラムが写真設定処理を行う具体例について説明する。図９は、写真設定処理に伴うユーザ操作を説明するための図である。
【００３８】
図９に示すように、第１タッチパネル１０１には、受信メール画面２０７が表示されている。受信メール画面２０７は、添付画像２０８を含む。また、第２タッチパネル１０２には、アドレス帳画面２０５が表示されている。アドレス帳画面２０５は、写真表示部２０６を含む。
（ａ）先ず、ユーザは、受信メール画面２０７に含まれる添付画像２０８に指を接触させて、添付画像２０８を選択する。
【００３９】
（ｂ）次に、ユーザは、添付画像２０８に指を接触させたまま、アドレス帳画面２０５の写真表示部２０６に指を接触させる。
（ｃ）次に、ユーザは、添付画像２０８から指を離す。
（ｄ）最後に、ユーザは、写真表示部２０６から指を離す。
第１タッチパネル１０１及び第２タッチパネル１０２が、（ａ）から（ｄ）までの一連の操作を受け付けると、携帯電話機１は、上記の実施形態で説明した壁紙設定処理と同様の処理を行うことで、添付画像２０８の情報をアドレス帳管理プログラムへ通知する。そして、アドレス帳管理プログラムは、添付画像２０８を写真表示部２０６へ表示する。
【００４０】
また、携帯電話機１は、待ち受けプログラム１５２やアドレス帳管理プログラム以外にも、画像を用いた処理を行うプログラムへ画像の情報（ファイル名やファイルパス名等）を通知し、通知を受けたプログラムが、画像を用いた処理を行う構成でもよい。
（２）上記の実施形態では、待ち受けプログラム１５２によって待ち受け画面２０２が表示されている状態において、待ち受け画面２０２をユーザが接触すると、添付画像の情報が待ち受けプログラム１５２へ通知される構成を有していた。
【００４１】
同様に、変形例（１）では、アドレス帳管理プログラムによってアドレス帳画面２０５が表示されている状態において、アドレス帳画面２０５をユーザが接触すると、添付画像の情報がアドレス帳プログラムへ通知される構成を有していた。
このように、添付画像の情報を通知したいプログラムの画面をユーザが接触する構成に限定されず、以下のような構成でもよい。
【００４２】
ここでは、図１０を用いて、電子メールプログラム１５１から画像を用いるプログラムの一例である写真閲覧プログラムへ添付画像の情報を通知することで、写真閲覧プログラムが添付画像を用いたスライドショーを実行する具体例について説明する。
図１０は、ユーザ操作を説明するための図である。
図１０に示すように、第１タッチパネル１０１には、受信メール画面２０１が表示されている。受信メール画面２０１は、添付画像２０２を含む。また、第２タッチパネル１０２には、待ち受け画面２０２が表示されている。待ち受け画面２０２には、アイコン画像２０４を含む複数のアイコン画像が配列されている。ここで、アイコン画像２０４は、写真閲覧プログラムを示す。
【００４３】
（ａ）先ず、ユーザは、受信メール画面２０１に含まれる添付画像２０３に指を接触させて、添付画像２０３を選択する。
（ｂ）次に、ユーザは、添付画像２０３に指を接触させたまま、待ち受け画面２０２のアイコン画像２０４に指を接触させる。
（ｃ）次に、ユーザは、添付画像２０３から指を離す。
【００４４】
（ｄ）最後に、ユーザは、アイコン画像２０４から指を離す。
第１タッチパネル１０１及び第２タッチパネル１０２が、（ａ）から（ｄ）までの一連の操作を受け付けると、携帯電話機１は、上記の実施形態で説明した壁紙設定処理と同様の処理を行うことで、添付画像２０８の情報を写真閲覧プログラムへ通知する。そして、写真閲覧プログラムは、添付画像２０３を用いてスライドショーを実行する。
【００４５】
このように、添付画像の情報を通知したいプログラムの画面を接触しなくても、添付画像の情報を通知したいプログラムを示す表示（アイコン画像など）をユーザが接触することにより、通知先のプログラムを指定する構成でもよい。
（３）上記の実施形態では、図５〜図８に示すように、ユーザが添付画像２０３から指を離したときに（図５（ｃ））、電子メールプログラム１５１から待ち受けプログラム１５２へ情報が通知され、ユーザが待ち受け画面２０２の背景から指を離したときに（図５（ｄ））、待ち受けプログラム１５２が壁紙設定処理を行う構成を有していた。
【００４６】
しかし、電子メールプログラム１５１から待ち受けプログラム１５２への情報の通知、及び、待ち受けプログラム１５２による壁紙設定処理は、必ずしもこれらのユーザ操作に合わせて実行される必要はない。
例えば、ユーザが添付画像２０３に指を接触させたまま、待ち受け画面２０２の背景に指を接触させたときに（図５（ｂ））、電子メールプログラム１５１から待ち受けプログラム１５２へ情報が通知される構成でもよい。そして、ユーザが添付画像２０３から指を離したときに（図５（ｃ））、待ち受けプログラム１５２が壁紙設定処理を行う構成でもよい。
【００４７】
この場合、図６（ｃ）のように、ユーザが添付画像２０３から指を離す前に、待ち受け画面２０２の背景から指を離した場合は、壁紙設定部１０９の処理部１９１は、画像情報格納部１９２に格納されている添付画像２０３の情報を破棄するように構成してもよい。
（４）携帯電話機１は、被写体を撮像するカメラを備える構成でもよい。カメラで撮像された画像は、メモリ１０５内部の一時保存用フォルダに格納される。この場合、携帯電話機１は、受信メールに含まれる添付画像を待ち受け画面２０２の壁紙に設定する代わりに、カメラで撮像された画像を、待ち受け画面２０２の壁紙に設定する構成でもよい。
【００４８】
（５）上記の実施形態では、携帯電話機１は、第１タッチパネル１０１に受信メール画面２０１が表示され、且つ、第２タッチパネル１０２に待ち受け画面２０２が表示されている状態のときに、壁紙設定処理を行う構成を有していた。しかし、携帯電話機１は、この構成に限定されない。
第１タッチパネル１０１には受信メール画面２０１が表示されているが、第２タッチパネル１０２には待ち受け画面２０２が表示されていない状態のときにも、携帯電話機１は、図５のユーザ操作を受け付けた場合には、壁紙設定処理を行う構成でもよい。
【００４９】
（６）本発明に係る携帯端末は、携帯電話機に限定されない。少なくとも２画面タッチパネルを有し、且つ、複数のプログラムを実行する構成であれば足りる。例えば、ＰＤＡ（Ｐｅｒｓｏｎａｌ Ｄｉｇｉｔａｌ Ａｓｓｉｓｔａｎｔ）、携帯型ゲーム機、携帯型音楽プレーヤなど各種の携帯型情報端末も本発明に含まれる。
（７）上記の実施形態と上記の変形例とを適宜組み合わせてもよい。
【００５０】
＜８．補足＞
以下、更に本発明の一実施形態としての構成およびその変形例と効果について説明する。
（ａ）本発明の一実施形態に係る携帯端末は、複数のプログラムを実行する携帯端末であって、第１プログラムの実行により表示される画像が表示される第１タッチパネルと、第２プログラムの実行により表示される画像が表示される第２タッチパネルと、前記第１タッチパネル及び前記第２タッチパネルへの接触を検出する検出部と、前記第１プログラムの実行により表示される画像が前記第１タッチパネルに表示されている状態において、前記第１タッチパネルへの接触が検出された後に前記第２タッチパネルへの接触が検出され、且つ、両タッチパネルが同時に接触されていることが検出されると、前記画像に係るデータを指定する情報を、前記第２プログラムへ通知する通知部と、前記通知部から通知を受けると、前記第２プログラムにより前記データを利用した処理を行う処理部とを備えることを特徴とする。
【００５１】
この構成によると、２画面タッチパネルを有する携帯端末を用いて、ユーザの簡便な操作により、第１プログラムが表示している画像に関するデータを第２プログラムへ通知し、処理可能とすることが可能となる。
例えば、第１プログラムが電子メールプログラムであり、第２プログラムが待ち受けプログラムである場合に、ユーザの簡便な操作により、電子メールの画面に表示されている添付画像を待ち受け画面の壁紙に設定することができる。
【００５２】
（ｂ）前記携帯端末において、前記検出部は、更に、前記第１タッチパネルへの接触位置を検出し、前記通知部は、検出された前記接触位置に表示されている前記データを指定する前記情報を、前記第２プログラムへ通知することを特徴とする。
この構成によると、携帯端末は、ユーザが第１タッチパネル上で接触している位置に表示されているデータ（画像等）を指定する情報を第２プログラムへ通知するので、ユーザは、自身の操作と当該携帯端末により行われる処理との関連性を理解しやすい。
【００５３】
（ｃ）前記携帯端末において、前記通知部は、前記第１タッチパネルへの接触の解除が検出されたときに、前記第２プログラムへ前記情報を通知することを特徴とする。
この構成によると、ユーザは、自身の操作と当該携帯端末により行われる処理との関連性（例えば、ユーザ自身の操作に基づく処理の開始時点など）をより理解しやすいので、使い勝手の良い携帯端末を提供することが可能となる。
【００５４】
（ｄ）前記携帯端末は、更に、前記第１タッチパネルへの接触の解除が検出される前に、前記第２タッチパネルへの接触の解除が検出されると、前記通知部の処理を禁止する禁止部を備えることを特徴とする。
すなわち、ユーザは、第１タッチパネルに指を接触させた後に、第２タッチパネルに指を接触させた場合でも、第２タッチパネルから指を離すことで、携帯端末の理部が行う処理をキャンセルすることができる。これにより、例えば、意図しない画像を誤って選択した場合には、上記のキャンセルの操作を行うことで、意図しない画像が、待ち受け画面の壁紙に設定されることを抑止することができる。
【００５５】
（ｅ）前記携帯端末において、前記通知部は、前記第１プログラムの実行により表示される画像が前記第１タッチパネルに表示され、且つ、前記第２プログラムの実行により表示される画像が前記第２タッチパネルに表示されている状態において、前記第１タッチパネルへの接触が検出された後に前記第２タッチパネルへの接触が検出され、且つ、両タッチパネルが同時に接触されていることが検出されると、前記情報を、前記第２プログラムへ通知することを特徴とする。
【００５６】
この構成によると、第１タッチパネル及び第２タッチパネルには、それぞれ、第１プログラムの画像及び第２プログラムの画像が表示されているので、ユーザは、両タッチパネルの画像を見ながら操作を行うことが可能であり、自身の操作と当該携帯端末により行われる処理との関連性をより理解しやすい。
（ｆ）前記携帯端末において、前記第２タッチパネルには、前記第２プログラムを示すアイコン画像が表示されており、前記検出部は、前記第２タッチパネルへの接触位置を検出可能であり、前記通知部は、前記第２プログラムを示す前記アイコン画像への接触が検出されると、前記情報を前記第２プログラムに通知することを特徴とする。
【００５７】
入力デバイスとしてタッチパネルを用いる携帯端末では、待ち受け画面（「ホーム画面」又は「メニュー画面」と言うこともある。）に、複数のアイコン画像が表示される場合が多い。そこで、上記の構成によると、ユーザは、複数のアイコン画像の中から１つを選択することにより、第１プログラムが表示している画像に関する情報を通知する第２プログラムを選択することができる。
【００５８】
（ｇ）前記携帯端末において、前記第１プログラムは、電子メールプログラムであり、前記第１タッチパネルには、電子メールに添付された添付画像が表示されており、前記通知部は、前記添付画像への接触が検出されると、前記添付画像の格納位置である前記情報を、前記第２プログラムへ通知し、前記処理部は、前記添付画像を用いた処理を行うことを特徴とする。
【００５９】
この構成によると、２画面タッチパネルを有する携帯端末を用いて、ユーザの簡便な操作により、電子メールに添付されて受信した添付画像の格納位置を第２プログラムへ通知することが可能となる。
（ｈ）前記携帯端末において、前記第２プログラムは、待ち受け画面の壁紙を設定する待ち受けプログラムであり、前記処理部は、前記格納位置に格納されている前記添付画像を、待ち受け画面の壁紙に設定することを特徴とする。
【００６０】
この構成によると、２画面タッチパネルを有する携帯端末を用いて、ユーザの簡便な操作により、電子メールに添付されて受信した添付画像を待ち受け画面の壁紙に設定することができる。
（ｉ）前記携帯端末は、前記第１プログラム及び第２プログラムが利用可能な第３プログラムを含み、前記通知部は、第１プログラムから第３プログラムへ前記情報を通知し、前記第３プログラムから前記第２プログラムへ前記情報を通知することを特徴とする。
【００６１】
この構成によると、各プログラムが扱うデータ等を、第３プログラムを介して相互に受け渡しする仕組みを用いることで、第１プログラムが表示している画像に関する情報を第２プログラムへ通知することが可能となる。
（ｊ）前記携帯端末において、前記検出部は、前記第１タッチパネルへの接触を検出する第１検出部と、前記第２タッチパネルへの接触を検出する第２検出部とを備えることを特徴とする。
【００６２】
この構成によると、各タッチパネルへの接触を、それぞれに対応する検出部が独立して検出可能であるから、各タッチパネルへの検出位置や検出タイミングを用いて、第１プログラム及び第２プログラム間において通知するデータの特定や、データを通知するタイミングを柔軟に制御することが可能となる。
【産業上の利用可能性】
【００６３】
本発明は、２個のタッチパネルを有する携帯端末を製造及び販売を行う産業において、ユーザの簡便な操作により、電子メールの添付画像を待ち受け画面の壁紙に設定することができる技術として利用することができる。
【符号の説明】
【００６４】
１      携帯電話機
１０１  第１タッチパネル
１０２  第２タッチパネル
１０３  第１コントローラ
１０４  第２コントローラ
１０５  メモリ
１０６  システム制御部
１０７  通信制御部
１０８  アンテナ
１０９  壁紙設定部
１１０  レシーバ
１１１  マイク
【図１】
0005905323.tif 000002
【図２】
0005905323.tif 000003
【図３】
0005905323.tif 000004
【図４】
0005905323.tif 000005
【図５】
0005905323.tif 000006
【図６】
0005905323.tif 000007
【図７】
0005905323.tif 000008
【図８】
0005905323.tif 000009
【図９】
0005905323.tif 000010
【図１０】
0005905323.tif 000011